(57)【要約】      （修正有）【課題】錆びることがなく、また、ベベル加工を行っても水晶片の汚れが軽減する。【解決手段】水晶片にベベル加工を施すベベリング用筒体１０であって、セラミックからなり有底で一方が開口する円筒体１１と、セラミックからなり前記円筒体の開口端部と密着固定される蓋体１２とを備え、前記セラミックから構成されることを特徴とし、円筒体１１と蓋体１２とが共にセラミックであることにより、研磨材が円筒体１１と蓋体１２とに付着して塊となるのを防ぐことができ、また、円筒体１１と蓋体１２とが共にセラミックであることにより、錆が発生することがなくなった。【選択図】図１
2011055025.tif 000002
【特許請求の範囲】
【請求項１】
水晶片にベベル加工を施すベベリング用筒体であって、
セラミックからなり有底で一方が開口する円筒体と、
セラミックからなり前記円筒体の開口端部と密着固定される蓋体とを備え、
前記セラミックがＡ４７９Ｍ（京セラ（株）製の材質番号）から構成されることを特徴とするベベリング用筒体。
【発明の詳細な説明】
【技術分野】
【０００１】
本発明は、水晶片のベベル加工に用いられるベベリング用筒体に関する。
【背景技術】
【０００２】
従来から、圧電材料である水晶片にベベル加工を施す際には、鉄などの金属の円筒容器が用いられている。この金属容器、つまりベベリング用筒体は、有底で一方が開口した円筒体と、この開口を塞ぐ蓋体とから構成されており、この円筒体と蓋体とはねじ込み式で一体となるか、ボルトなどで蓋体を円筒体に固定して一体となっている（例えば、特許文献１及び特許文献２参照）。
【０００３】
水晶片をベベル加工する場合は、円筒体に研磨材と水晶片とを入れた状態で蓋体を円筒体に固定し、円筒体の中心軸を回転軸にして回転させて水晶片をベベル加工していた。
ここで、水晶片の加工の状態に応じて研磨剤を入れ替える場合は、円筒体にねじ込み又はボルトで固定されている蓋体をはずし、ふるい等の網状のものに円筒体内の水晶片ごと研磨材を落とし込み、ふるい等で水晶片のみを受けるようにしていた。したがって、再度、ベベル加工をする場合は、このふるい等についた水晶片を回収して再び円筒体に入れ、新たに研磨材を円筒体に流入させた後、蓋体を円筒体に固定していた。
【０００４】
このような従来のベベリング用筒体は、円筒体の中心軸を回転軸にして回転させたときに、内部の研磨材が円筒体の内表面に沿って流動させられ、所定の高さまできたところで円筒体の内表面から離れて下に落ち込んでいくようになっている。
これにより、研磨材と一緒に封入されている水晶片は、円筒体内で表裏反転を繰り返えしながら円筒体表面および研磨材で研磨されることとなる。
また、ベベリング用筒体に用いられる材質としては、鉄などの金属の他にセラミックが用いられている（例えば、特許文献３参照）。
【先行技術文献】
【特許文献】
【０００５】
【特許文献１】特開２００１−２８５０００号公報（段落０００２〜０００５、図６）
【特許文献２】特開２００８−１６６９７１号公報
【特許文献３】特開２００２−２２４９４３号公報
【発明の概要】
【発明が解決しようとする課題】
【０００６】
しかしながら、従来のベベリング用筒体は、例えば、鉄でできているため、水晶片の研磨の最中に金属の粒子が生成されてしまっていた。これにより、ベベル加工が完了した後、水晶片に金属の粒子が付着してしまい、洗浄作業が煩雑であるという問題があった。
また、例えば、円筒体が鉄からなる場合は、研磨材を水で希釈してベベル加工を行うと、円筒体が錆びるという問題がある。したがって、従来のベベリング用筒体は、錆の除去に手間がかかるという問題がある。
また、ベベリング用筒体が鉄からなる場合、研磨材がベベリング用筒体に付着してしまい、部分的に塊となることがあった。これにより、ベベル加工された水晶片の品質にばらつきが生じることがあった。
また、ベベリング用筒体が例えば、一般に機械工作用のセラミックを用いた場合、粉末をプレス等により成形して焼成すると、この焼成で固定される形状や厚みにムラ等が起こり、加工精度が悪くなる恐れがある。また、加工精度良くベベリング用筒体が形成できても、ベベル加工の際に水晶片でベベリング用筒体の内面が削れてしまったり、セラミックの脱粒という問題がある。
さらに、ベベリング用筒体が回転している際にひび割れが生じ、安定したベベル加工を行うことができなかった。
【０００７】
そこで、本発明では、前記した問題を解決し、錆びることがなく、また、ベベル加工を行っても水晶片の汚れが軽減され、安定したベベル加工が行えるベベリング用筒体を提供することを課題とする。
【課題を解決するための手段】
【０００８】
前記課題を解決するため、本発明は、水晶片にベベル加工を施すベベリング用筒体であって、セラミックからなり有底で一方が開口する円筒体と、セラミックからなり前記円筒体の開口端部と密着固定される蓋体とを備え、前記セラミックがＡ４７９Ｍ（京セラ（株）製の材質番号）から構成されることを特徴とする。
【発明の効果】
【０００９】
このようなベベリング用筒体によれば、ベベリング用筒体を構成する円筒体と蓋体とがセラミックで形成されているため、錆びることがない。また、このようなベベリング用筒体によれば、セラミックが鉄よりも堅いためにセラミックの粒子の発生を少なくすることができる。これにより、このようなベベリング用筒体は、水晶片にベベル加工を行っても水晶片の汚れを軽減させることができる。
また、このようなベベリング用筒体によれば、研磨材がベベリング用筒体に付着することがないため、水晶片のベベル加工の品質を向上させることができる。
また、セラミックがＡ４７９Ｍ（京セラ（株）製の材質番号）から構成されるため、回転中にベベリング用筒体にひびが入ることなく安定したベベル加工を行うことができる。
【図面の簡単な説明】
【００１０】
【図１】本発明の実施形態に係るベベリング用筒体の一例を示す概念図である。
【図２】本発明の実施形態に係るベベリング用筒体の使用例の一例を示す概念図である。
【発明を実施するための形態】
【００１１】
次に、本発明を実施するための最良の形態（以下、「実施形態」という。）について、適宜図面を参照しながら詳細に説明する。なお、各構成要素について、状態をわかりやすくするために、誇張して図示している。
【００１２】
図１は本発明の実施形態に係るベベリング用筒体の一例を示す概念図である。図２は、本発明の実施形態に係るベベリング用筒体の使用例の一例を示す概念図である。
【００１３】
図１に示すように、本発明の実施形態に係るベベリング用筒体１０は、有底で一方が開口する円筒体１１と、この開口端部に固定される蓋体１２とから構成されている。
このベベリング用筒体１０は、その内部に研磨材Ｌと水晶片Ｂとを封入し、このベベリング用筒体１０の中心軸線Ｃ１を回転軸として回転させることで水晶片Ｂにベベル加工を施すようになっている。
【００１４】
また、円筒体１１は、Ａ４７９Ｍ（京セラ（株）製の材質番号）のセラミックから形成されている。この円筒体１１は、一方の端部が塞がれて底部となり、他方の端部が所定の直径で開口した筒状となっている。
【００１５】
図２に示すように、蓋体１２は、セラミックからなり、円筒体１１と同じ直径で形成されている。
【００１６】
次に、本発明の実施形態に係るベベリング用筒体１０を用いた水晶片のベベル加工方法について説明する。
まず、図１に示すように、所定の粒度のメディアＭと砥粒とを備えた研磨材Ｌと、所定の大きさに形成された水晶片Ｂとを用意する。
【００１７】
（材料封入工程）
材料封入工程は、円筒体１１に用意した研磨材Ｌと水晶片Ｂとを入れ、円筒体１１の開口した端部を蓋体１２で塞ぐ工程である。
蓋体１２は、円筒体１１の開口側端部に、ねじ込み式による固定や、ボルトによる固定などができるようになっている。
【００１８】
（回転工程）
回転工程は、研磨材Ｌと水晶片Ｂとを入れた円筒体１１を、該円筒体１１の中心軸線Ｃ１を回転軸として回転させる工程である。
この回転工程により、水晶片Ｂが研磨材Ｌで研磨されてベベル加工が進行することとなる。このとき、ベベリング用筒体１０は、筒体回転ローラ装置６０を用いて、中心軸線Ｃ１を水平にした状態で回転させられる。これにより、水晶片Ｂが円筒体の内周面を滑りつつ研磨材Ｌと接触してベベル加工が行われる。
なお、筒体回転ローラ装置６０は、水平に設けられる少なくとも２本一対のローラ６１と、これらローラ６１の回転軸に設けられる第一のプーリ６２と、所定の回転速度で回転する駆動装置６３と、この駆動装置６３の回転軸に設けられる第二のプーリ６４と、第一のプーリ６２と第二のプーリ６４とに掛けられるベルト６５とから構成されている。
このように構成される筒体回転ローラ装置６０は、駆動装置６３により駆動装置６３の回転軸に設けられる第二のプーリ６４を回転させ、ベルト６５を介して第一のプーリ６２を回転させることでローラ６１を回転させる。
これにより、ローラ６１上に載せられたベベリング用筒体１０は、中心軸線Ｃ１を水平にした状態で回転させられることとなる。
【００１９】
このように、本発明のベベリング用筒体１０は、円筒体１１と蓋体１２とがセラミックで形成されているので、研磨材Ｌが円筒体１１と蓋体１２とに付着して塊となることがなく、ベベル加工の品質を向上させることができる。また、本発明のベベリング用筒体は、円筒体１１と蓋体１２とがＡ４７９Ｍ（京セラ（株）製の材質番号）のセラミックで形成されているので、セラミックの粒子の発生が少なく、ベベル加工を行っても水晶片の汚れを軽減することができる。
また、本発明のベベリング用筒体は、円筒体１１がＡ４７９Ｍ（京セラ（株）製の材質番号）のセラミックからなるため、回転軸方向に長く形成することもできる。さらに、本発明のベベリング用筒体は、他のセラミックで形成される場合や金属で形成される場合よりも耐久性を向上させることができる。
【００２０】
以上、本発明の実施形態について説明したが、本発明は前記実施形態には限定されない。例えば、円筒体１１の断面において、外周の断面形状を円形、内周の断面形状を多角形に形成しても良い。このような形状は、セラミックを焼成することで形成することができる。
【符号の説明】
【００２１】
１０    ベベリング用筒体
１１    円筒体
１２    蓋体
【図１】
2011055025.tif 000003
【図２】
2011055025.tif 000004